(57)【要約】      （修正有）【課題】電源をいれてから撮影が可能となるまでの起動時間を短縮し、かつ、電池の消耗を抑制することが可能な撮像装置を提供する。【解決手段】電源オンモードとスタンバイモードと電源オフモードの３つのモードを有し、電源オンモードとスタンバイモードとの間のモード切り換えを強制的に行なわせるスイッチ１５を設ける。更に、スタンバイモード時は、必要最低限の機能ブロックのみに電力を供給し、かつ、この必要最低限の機能ブロックを動作させるためのそれぞれのシステムクロックの周波数を、動作可能な範囲内でできるだけ下げる。【選択図】図１
2008109193.tif 000002
【特許請求の範囲】
【請求項１】
可動式光学レンズ及び撮像素子を備えて、被写体を撮影する撮像手段と、
前記撮像手段で撮影する被写体の画像を、開閉機構を有する画像表示部に表示する表示手段と、
第１のシステムクロック及び第２のシステムクロックを生成するクロック生成手段と、
前記撮像手段によって撮影した画像に対して所定の信号処理を施してデジタル映像信号を生成する手段であり、前記第１のシステムクロックを基に動作するデジタル信号処理手段と、
前記デジタル映像信号を記録する記録手段と、
メモリに記憶されている制御用プログラムを読み込んで実行することにより、前記クロック生成手段、前記撮像手段、前記表示手段、前記デジタル信号処理手段、前記記録手段、を少なくとも含む各機能ブロックを制御する手段であり、前記第２のシステムクロックを基に動作する制御手段と、
本装置を駆動するための電力を供給する電力供給手段と、
前記電力供給手段の後段に接続されており、前記電力を供給するかしないかを制御する第１の電力制御手段と、
前記第１の電力制御手段の後段に接続され、かつ、前記デジタル信号処理手段と前記制御手段と前記クロック生成手段とを少なくとも含む所定の機能ブロック以外の他の機能ブロックの前段に接続されている電力制御手段であり、前記他の機能ブロックに前記電力を供給するかしないかを制御する第２の電力制御手段と、
を有し、
前記第２の電力制御手段は、前記表示手段の画像表示部の開閉機構と連動しており、前記画像表示部が開かれた場合は、前記他の機能ブロックに前記電力を供給するように制御し、前記画像表示部が閉じられた場合は、前記他の機能ブロックに前記電力を供給しないように制御する電力制御手段であることを特徴とする撮像装置。
【請求項２】
前記制御手段は、前記第２の電力制御手段が前記他の機能ブロックに前記電力を供給しないように制御した場合に、前記第１のシステムクロック及び前記第２のシステムクロックの周波数を、それぞれ現在の周波数より低い周波数になるように前記クロック生成手段を制御する手段であることを特徴とする請求項１記載の撮像装置。
【請求項３】
前記撮像手段における前記可動式光学レンズの位置を示すレンズ位置情報を記憶するレンズ位置記憶手段を有し、
前記制御手段は、前記第２の電力制御手段が前記他の機能ブロックに前記電力を供給しないように制御した場合は、この制御した時点での前記可動式レンズの位置を示すレンズ位置情報を前記レンズ位置記憶手段に記憶し、前記第２の電力制御手段が、前記他の機能ブロックに前記電力を供給するように制御した場合は、前記レンズ位置記憶手段から前記レンズ位置情報を読み出して、この読み出したレンズ位置情報に対応する位置に前記可動式レンズを移動させる手段であることを特徴とする請求項１又は２記載の撮像装置。
【請求項４】
時間を計測するタイマを有し、
前記制御手段は、前記第２の電力制御手段が前記他の機能ブロックに前記電力を供給しないように制御した場合は、前記タイマに計測を開始させ、その後、予め設定されている所定時間が経過したことを示す情報を前記タイマから取得したら、前記第１の電力制御手段に対して前記電力を供給しないよう制御するように指示し、前記所定時間が経過する前に本装置に対して外部から操作がなされた場合は、前記タイマに前記所定時間の計測を最初から再開させる手段であることを特徴とする請求項１乃至３いずれか記載の撮像装置。
【発明の詳細な説明】
【技術分野】
【０００１】
本発明は、電池で駆動する映像装置に係り、特に、この電池の消耗を抑制しながら、電源オンから撮影可能状態までに要する時間を短縮できるスタンバイモードを有し、通常の電源オンオフを行なう電源スイッチに加えて、このスタンバイモードと通常の電源オンモードを切り替えるためのサブ電源スイッチを備える撮像装置に関する。
【背景技術】
【０００２】
電池で駆動するビデオカメラなどの撮像装置においては、電池の消耗を抑えるために煩雑に電源のオンオフを行なう必要がある。しかし、従来の撮像装置では、電源をオンしてから被写体を撮影可能となるまでの時間が長いという問題がある。このため、電源オフの状態の時に突然発生する一瞬の撮影チャンスを逸してしまう可能性があった。
【０００３】
この問題を解決するために、例えば特許文献１では、通常制御を行なうシステム制御部と、時間のかかるレンズの繰り出しなどメカニカルな部分の制御を上記システム制御部とは別に制御するためのサブシステム制御部とを設けるという従来技術が提案されている。
この従来技術は、サブシステム制御部の電源オン状態は維持しつつ電力消費の大きなシステム制御部の電源をオフする省電力モード（以下スタンバイモードとも呼ぶ）を設け、通常の電源オン状態においてユーザが一定時間以上この撮像装置を操作しなかった場合に、上記の省電力モードに切り替える。これにより、電池の消耗を抑えつつ、かつ、このスタンバイモードから電源オン（システム制御部の電源もオンする）した場合の起動時間を短縮するというものである。
【特許文献１】特開２０００−２０９４８５号公報
【発明の開示】
【発明が解決しようとする課題】
【０００４】
しかしながら、上記特許文献１記載の従来技術では、ユーザが、一定時間以上撮像装置を操作しない場合でないとスタンバイモードに移行できない。従って、この一定時間はフルに電力が消費されてしまうので、電池の消耗を抑制する効果はそれ程高くないという課題があった。
【０００５】
本発明は、この従来技術の課題を鑑みてなされたものであり、強制的にスタンバイモードと通常の電源オンモードとを切り換えることを可能とする切り換えスイッチを設けることにより、起動時間を短縮できるという従来技術の効果を維持しつつ、電池の消耗を従来技術よりも更に抑制することが可能な撮像装置を提供することを目的とする。
【課題を解決するための手段】
【０００６】
そこで上記課題を解決するために本発明は、下記の装置を提供するものである。
（１）可動式光学レンズ及び撮像素子を備えて、被写体を撮影する撮像手段と、
前記撮像手段で撮影する被写体の画像を、開閉機構を有する画像表示部に表示する表示手段と、
第１のシステムクロック及び第２のシステムクロックを生成するクロック生成手段と、
前記撮像手段によって撮影した画像に対して所定の信号処理を施してデジタル映像信号を生成する手段であり、前記第１のシステムクロックを基に動作するデジタル信号処理手段と、
前記デジタル映像信号を記録する記録手段と、
メモリに記憶されている制御用プログラムを読み込んで実行することにより、前記クロック生成手段、前記撮像手段、前記表示手段、前記デジタル信号処理手段、前記記録手段、を少なくとも含む各機能ブロックを制御する手段であり、前記第２のシステムクロックを基に動作する制御手段と、
本装置を駆動するための電力を供給する電力供給手段と、
前記電力供給手段の後段に接続されており、前記電力を供給するかしないかを制御する第１の電力制御手段と、
前記第１の電力制御手段の後段に接続され、かつ、前記デジタル信号処理手段と前記制御手段と前記クロック生成手段とを少なくとも含む所定の機能ブロック以外の他の機能ブロックの前段に接続されている電力制御手段であり、前記他の機能ブロックに前記電力を供給するかしないかを制御する第２の電力制御手段と、
を有し、
前記第２の電力制御手段は、前記表示手段の画像表示部の開閉機構と連動しており、前記画像表示部が開かれた場合は、前記他の機能ブロックに前記電力を供給するように制御し、前記画像表示部が閉じられた場合は、前記他の機能ブロックに前記電力を供給しないように制御する電力制御手段であることを特徴とする撮像装置。
（２）前記制御手段は、前記第２の電力制御手段が前記他の機能ブロックに前記電力を供給しないように制御した場合に、前記第１のシステムクロック及び前記第２のシステムクロックの周波数を、それぞれ現在の周波数より低い周波数になるように前記クロック生成手段を制御する手段であることを特徴とする上記（１）記載の撮像装置。
（３）前記撮像手段における前記可動式光学レンズの位置を示すレンズ位置情報を記憶するレンズ位置記憶手段を有し、
前記制御手段は、前記第２の電力制御手段が前記他の機能ブロックに前記電力を供給しないように制御した場合は、この制御した時点での前記可動式レンズの位置を示すレンズ位置情報を前記レンズ位置記憶手段に記憶し、前記第２の電力制御手段が、前記他の機能ブロックに前記電力を供給するように制御した場合は、前記レンズ位置記憶手段から前記レンズ位置情報を読み出して、この読み出したレンズ位置情報に対応する位置に前記可動式レンズを移動させる手段であることを特徴とする上記（１）又は（２）記載の撮像装置。
（４）時間を計測するタイマを有し、
前記制御手段は、前記第２の電力制御手段が前記他の機能ブロックに前記電力を供給しないように制御した場合は、前記タイマに計測を開始させ、その後、予め設定されている所定時間が経過したことを示す情報を前記タイマから取得したら、前記第１の電力制御手段に対して前記電力を供給しないよう制御するように指示し、前記所定時間が経過する前に本装置に対して外部から操作がなされた場合は、前記タイマに前記所定時間の計測を最初から再開させる手段であることを特徴とする上記（１）乃至（３）いずれか記載の撮像装置。
【発明の効果】
【０００７】
本発明によれば、強制的にスタンバイモードと通常の電源オンモードとを切り換えることを可能とする切り換え手段を設けることにより、起動時間を短縮できるという従来技術の効果を維持しつつ、電池の消耗を従来技術よりも更に抑制することが可能となる。
【０００８】
また、上記を実現するためのモード切り換え手段の切り換え動作を、液晶モニタやビューファインダの開閉動作と連動させることにより、ユーザに対して電源モードの切り換えを意識させることなく、スタンバイモードと通常の電源オンモードとの切り換えを行なわせることが可能となる。
【発明を実施するための最良の形態】
【０００９】
以下、本発明の実施の形態を、図面を参照しながら詳細に説明する。
［全体構成］
図１は、本発明の撮像装置の一実施例の全体構成を示すブロック図である。
【００１０】
撮像部１は、フォーカスレンズ、ズームレンズ、ＣＣＤなどから構成されており、撮影した被写体を光電変換によりアナログ映像信号に変換してＡ／Ｄ変換器２に出力する。
Ａ／Ｄ変換器２は、撮像部１から出力されるアナログ映像信号をデジタル映像信号に変換してＤＳＰ３に出力する。
【００１１】
ＤＳＰ３は、撮影時においてＡ／Ｄ変換器２から出力されるデジタル映像信号に対して、符号化や誤り訂正データの付加などのデジタル信号処理を施し、デジタルデータを生成して記録部４に出力する。また、この記録部４に記録されたデジタルデータの再生時には、記録部４から再生され入力されるデジタルストリームデータを復号してデジタル映像データ生成しＤ／Ａ変換器５へ出力する。
【００１２】
記録部４は、ＨＤ（ハードディスク）や、ＤＶＤ（デジタルバーサタイルディスク）などの記録媒体を有しており、これらの記録媒体にデジタルデータを記録する。また記録されたデジタルデータを再生する。
【００１３】
Ｄ／Ａ変換器５は、再生時に、ＤＳＰ３から出力されるデジタル映像信号をアナログ映像信号に変換してＬＣＤ６に出力する。
ＬＣＤ６は、液晶ディスプレイなどの表示部である。このＬＣＤ６は、撮影時の被写体の確認用や、記録した撮影画像を再生する際の再生画像表示用として用いられる。また、このＬＣＤ６は開閉式になっており、撮影時や再生時（電源オンモード時）にはユーザが視認しやすいような位置に開かれ、スタンバイモード時や電源オフモード時には閉じられる。
【００１４】
レンズ駆動部７は、マイコン８からの指示に従ってフォーカスレンズ及びズームレンズを所定の位置へ移動させると共に、これらのレンズの位置情報をマイコン８へ出力する。
マイコン８は、内部または外部のメモリに組み込まれた制御プログラムを読み込み、実行することで、各機能ブロックそれぞれに対して所定の機能を働かせるように、随時様々な制御信号を出力する。また、各機能ブロックの状態を監視し、これらの状態応じて上記制御信号の出力、停止を判断する。
【００１５】
不揮発性メモリ９には、レンズ駆動部７から得たフォーカスレンズとズームレンズの位置情報が、マイコン８を介して記録される。この位置情報は、電源をオフしたときの各レンズ位置を記憶しておき、再度電源オンした際にこのレンズ位置にレンズを移動させるために用いられる。
【００１６】
クロック発生器１０は、主に、ＤＳＰ３、マイコン８を動作させるために必要なシステムクロックの基となるマスタークロックを発生する。
分周器１１は、上記クロックは発生器１０で発生されたマスタークロックを分周し、ＤＳＰ３、マイコン８などで用いる各種システムクロックを生成する。また、この分周のための分周比はマイコン８からの指示に応じて変更可能である。
【００１７】
電源１２は、この撮像装置を駆動するために必要な電力を供給する。これは乾電池や充電式のバッテリーなどで構成される。
主電源スイッチ１３は、ユーザが操作ボタンなどによって直接操作するスイッチであり、このスイッチがオフされると、この撮像装置内の全てのブロックへの電力供給を停止して電源オフモードとなる。この主電源スイッチ１３は、例えば、スライドスイッチやダイヤルスイッチなどのメカニカルスイッチを用いる。
【００１８】
内部主電源スイッチ１４は、上記主電源スイッチ１３と同等の機能を実現するが、このスイッチはマイコン８からの指示によって制御されるものであり、基本的には電源オン状態から電源オフへの切り換えのみ行なう。この内部主電源スイッチは、例えばＩＣやトランジスタなどの半導体を用いた電気的にオンオフ制御可能な電子スイッチを用いる。
【００１９】
副電源スイッチ１５は、ユーザが直接操作するスイッチであり、このスイッチがオフされると、図中の点線で示される副電源ラインでの電力供給を停止してスタンバイモードとなる。この副電源スイッチ１５は、例えば、ＬＣＤ６やビューファインダ（図示無し）の開閉動作に連動してオンオフ制御可能なスイッチを用いる。
【００２０】
タイマ１６は、各種時間の測定を行なうものであり、本実施例では、特に、スタンバイモードに移行した時点からの時間を計測し、例えば１５分経過した時点をマイコン８に通知する。マイコン８は、このタイマ１６から上記通知を受信したならば、内部主電源スイッチ１４に対して電源オフするように制御する。
【００２１】
以上が本実施例の撮像装置の内部構成である。
［動作内容］
本実施例の撮像装置の詳細な動作内容を説明する。
＜電源モード＞
本実施例の撮像装置は、電源オンモード、スタンバイモード、電源オフモード、以上３つの電源モードを少なくとも有する。
【００２２】
電源オンモードは、通常撮影時のモードであり、撮像装置内のほとんどの機能ブロックへ電力が供給されるモードである。図１の主電源スイッチ１３、内部主電源スイッチ１４、副電源スイッチ１５の全てがオンとなり、実線で示される主電源ライン及び点線で示される副電源ラインに電力が供給される。
【００２３】
電源オフモードは、装置内の全ての機能ブロックへの電力の供給を停止するモードである。図１の主電源スイッチ１３、または内部主電源スイッチ１４のいずれかがオフとなり、電力はいずれの機能ブロックへ供給されない。
【００２４】
但し、タイマ（内蔵時計）などには、別途容易されるバックアップ用のボタン電池（図示せず）などから常時電力が供給される。
スタンバイモードは、図１に示すマイコン８、ＤＳＰ３、クロック発生器１０、分周器１１にのみ電力が供給されるモードである。このモードの時は、主電源スイッチ１３、内部主電源スイッチ１４がオンで、副電源スイッチ１５のみオフとなる。従って、点線で示される副電源供給ラインには電力が供給されない。
【００２５】
マイコン８とＤＳＰ３とは、それぞれに内蔵メモリまたは外部メモリに記憶されているソフトウエアである制御用プログラムを読み込んで実行することにより機能動作が実現される。しかし、昨今の撮像装置は高機能化が顕著であり、これら制御用プログラムは、その容量が巨大となっている。従って、電源オフ状態から、制御プログラムをメモリから読み込んで実行し、機能動作を実現するまでの初期化時間が長くなる傾向にある。撮像装置の電源オン時の撮影可能になるまでの起動時間の大部分は、このマイコン８、ＤＳＰ３の初期化時間によって占められる。従って、このマイコン８、ＤＳＰ３を動作状態にしておくスタンバイモードから電源オンモードへ移行させれば、このマイコン８、ＤＳＰ３の初期化が必要無くなるので、撮影可能となるまでの起動時間が大幅に短縮できる。
【００２６】
次に、本実施例の電源モード間の状態推移の処理の流れを図２〜図４のフローチャートを用いて説明する。
＜電源オンモードからスタンバイモードへの状態推移＞
図２は電源オンモードからスタンバイモードへの状態推移時の処理の流れを示すフローチャートである。以下ステップ毎に説明する。
【００２７】
ステップＳ１０１：電源オンモードの状態において、ユーザが副電源スイッチ１５をオンからオフに切り換える。このときマイコン８は、副電源スイッチ１５の状態を周期的（例えば１秒毎）に監視しており、スイッチがオフになったことを検出したならば、電源モードが電源オンモードからスタンバイモードに推移したと判断する。
【００２８】
なお、副電源スイッチ１５の状態の検出は、上記したようにマイコン８が周期的に監視するのではなく、副電源スイッチ１５が能動的にマイコン８へ電源モードの状態を示す信号を送信するような構成でも良い。
【００２９】
ステップＳ１０２：マイコン８は、レンズ駆動部７から、フォーカスレンズ及びズームレンズの位置を示す情報を取得し、この取得した位置情報を不揮発性メモリ９に記憶する。
【００３０】
このように、フォーカスレンズ及びズームレンズの位置情報を不揮発性メモリ９に記憶しておくことにより、スタンバイモードから電源オンモードに復帰した際に、この位置情報を基にフォーカスレンズ、ズームレンズの位置を設定することで、レンズの初期化動作を省略することができる。
【００３１】
ステップＳ１０３：マイコン８は、分周器１１を制御し、ＤＳＰ３およびマイコン８へ供給する各システムクックの周波数を、ＤＳＰ３、マイコン８がスタンバイモード時の動作が最低限できる範囲内で周波数を可能な限り下げる。
【００３２】
このように、システムクロックの周波数を下げることにより、ＤＳＰ３、マイコン８の消費電力を下げることができる。
ステップＳ１０４：マイコン８は、タイマ１６に対し、予めマイコン８に設定されている所定時間（例えば１５分）を設定するとともに、時間計測をスタートさせる。この所定時間は、電源モードをスタンバイモードから電源オフモードに移行させるための時間である。
【００３３】
なお、ステップＳ１０２からステップＳ１０４までは、この順序通りに処理を実行する必要はなく、どのステップから処理を行っても良い。
＜スタンバイモードから電源オフモードへの状態推移＞
図３はスタンバイモードから電源オフモードへの状態推移時の処理の流れを示すフローチャートである。以下ステップ毎に説明する。
【００３４】
ステップＳ２０１：マイコン８は、タイマ１６に所定時間を設定し、時間計測をスタートさせる。なお、このステップは図２のステップＳ１０４に相当する。
ステップＳ２０２：次に、本撮像装置に対してユーザがなんらかの操作を行なったか否かを周期的（例えば１秒毎）に監視する。この監視の結果、操作を行なっていなかった場合は、ステップＳ２０３へ処理を移行する。操作を行なっていた場合はステップＳ２０１へ処理を戻す。
【００３５】
ステップＳ２０３:タイマ１６は設定した所定時間が経過した場合、マイコン８に所定時間が経過したことを通知する。マイコン８は、この通知を受信した場合、ステップＳ２０４へ処理を移行する。所定時間が経過しておらず、タイマから通知を受信していなかった場合は、ステップＳ２０２へ処理を戻す。
【００３６】
ステップＳ２０４：所定時間が経過した場合、内部主電源スイッチ１４をオフして電源モードを電源オフモードに移行させる。
なお、上記では、マイコン８がタイマ１６に計測を開始させるたびに所定時間を設定する例を示したが、初期設定時にタイマ１６に直接所定時間を設定しておき、マイコン８は、計測を開始させる指示をだすのみとしても良い。
＜スタンバイモードから電源オンモードへの状態推移＞
図４はスタンバイモードから電源オンモードへの状態推移時の処理の流れを示すフローチャートである。以下ステップ毎に説明する。
【００３７】
ステップＳ３０１：スタンバイモードの状態において、ユーザが副電源スイッチ１５をオフからオンに切り換える。このときマイコン８は、副電源スイッチ１５の状態を周期的（例えば１秒毎）に監視しており、スイッチがオンになったことを検出したならば、電源モードがスタンバイモードから電源オンモードに推移したと判断する。
【００３８】
なお、副電源スイッチ１５の状態の検出は、上記したようにマイコン８が周期的に監視するのではなく、副電源スイッチ１５が能動的にマイコン８へ電源モードの状態を示す信号を送信するような構成でも良い。
【００３９】
ステップＳ３０２：マイコン８は、不揮発性メモリ９からフォーカスレンズ及びズームレンズの位置情報を取得し、レンズ駆動部７を制御してこの位置情報が示す位置へフォーカスレンズ、ズームレンズをそれぞれ移動させる。
【００４０】
ステップＳ３０３：マイコン８は、分周器１１を制御し、ＤＳＰ３およびマイコン８へ供給されているスタンバイモード対応で低くされている各システムクックの周波数を、通常使用時の周波数に戻す。
【００４１】
ステップＳ３０４：マイコン８は、ステップＳ１０４（ステップＳ２０１）において時間計測がスタートされているタイマ１６の時間計測を停止する
なお、ステップＳ３０２からステップＳ３０４までは、この順序通りに実行する必要はなく、どのステップから処理を行っても良い。
【００４２】
以上が本実施例における電源モード間の状態推移の処理の流れである。
上記実施例によれば、副電源スイッチ１５を設けたことで、一定期間待つことなく直ちに電源オンモードからスタンバイモードに移行できるので、電池の消耗を従来に比較してより抑制することが可能となる。また、スタンバイモードを設け、電源オン時にこのスタンバイモードから電源オンモードへ移行することにより、電源オンから撮影可能となるまでの起動時間の短縮が可能となる。
【００４３】
また、この副電源スイッチ１５によるスイッチオンオフを、ＬＣＤ６やビューファインダ（図示無し）の開閉動作と連動させたので、ユーザに対して電源モードの切り換えを意識させることなく、スタンバイモードと通常の電源オンモードとの切り換えを行なわせることが可能となる。
＜スタンバイモード無効時の処理＞
なお、上記説明は、スタンバイモードが常に有効な場合の実施例であるが、状況によってはこのスタンバイモードが必要無い場合がある。この場合の対応として例えば、スタンバイモードを有効または無効のいずれかにする設定を、ＬＣＤ６で表示するメニュー画面によって行なう。
【００４４】
上記メニュー画面によってスタンバイモードが無効に設定された場合は、主電源スイッチ１３と副電源スイッチ１５との双方がオンの時に電源オンモードとする一方、主電源スイッチ１３または副電源スイッチ１５のいずれかがオフの時には電源オフモードとする。この場合、副電源スイッチ１５のみがオフされたときにも、主電源側の電力供給をオフしなければならない。従って、マイコン８は、副電源スイッチ１５がオフされたことを検出したら、内部主電源スイッチ１４がオフになるように制御する。
【００４５】
また、本発明は上記した装置の機能をコンピュータに実現させるためのプログラムも含むものである。これらのプログラムは、記録媒体から読み取られてコンピュータに取り込まれてもよいし、通信ネットワークを介して伝送されてコンピュータに取り込まれてもよい。
【図面の簡単な説明】
【００４６】
【図１】本発明の一実施例の構成を示す構成図である。
【図２】本発明の一実施例の処理の流れを示すフローチャートである。
【図３】本発明の一実施例の処理の流れを示すフローチャートである。
【図４】本発明の一実施例の処理の流れを示すフローチャートである。
【符号の説明】
【００４７】
１    撮像部
２    Ａ／Ｄ変換器
３    ＤＳＰ
４    記録部
５    Ｄ／Ａ変換器
６    ＬＣＤ
７    レンズ駆動部
８    マイコン
９    不揮発性メモリ
１０  クロック発生器
１１  分周器
１２  電源
１３  主電源スイッチ
１４  内部主電源スイッチ
１５  副電源スイッチ
１６  タイマ
【図１】
2008109193.tif 000003
【図２】
2008109193.tif 000004
【図３】
2008109193.tif 000005
【図４】
2008109193.tif 000006